(57)【要約】【課題】  立上り筋の減量が可能になり、構造の簡略化が図れる建築物の鉄筋柱脚の基礎構造を提供する。【解決手段】  アンカーボルト７の定着板６を梁下端筋２よりも下方に配置する。これにより、コーン状割れが梁下端筋２よりも下方に生じ、梁下端筋２の定着部が分断されることがなく、アンカーボルト７を基礎コンクリートに定着できるので、基礎梁筋４を用いてアンカーボルト７をコンクリート基礎９に安全確実に定着させることができ、基準等で定められた最小限度の立上り筋１５およびフープ筋１６の設置のみで、アンカーボルト７をコンクリート基礎９に安全確実に定着させることができる。【選択図】  図１
2006342497.tif 000002
【特許請求の範囲】
【請求項１】
梁上端筋と梁下端筋およびあばら筋からなる基礎梁筋と、下端部に定着板を取付けた複数本のアンカーボルトと、立上り筋およびフープ筋からなる基礎柱筋とが埋設されたコンクリート基礎に、上記複数本のアンカーボルトを用いて鉄骨柱を接合してなる鉄骨柱脚の基礎構造において、上記定着板を上記梁下端筋よりも下方に配置したことを特徴とする鉄骨柱脚の基礎構造。
【発明の詳細な説明】
【技術分野】
【０００１】
本発明は、建築物の鉄骨柱脚の基礎構造に関する。
【背景技術】
【０００２】
従来、図３乃至図５に示すように、梁上端筋１と梁下端筋２およびあばら筋３からなる基礎梁筋４を配筋し基礎梁５を構築する際、所定の位置に、下端部に定着板６を取付けた複数本（図例では４本）のアンカーボルト７を設置し、その後コンクリートを打設し、基礎梁筋４が埋設された基礎梁５、基礎梁筋４とアンカーボルト７および定着板６が埋設された基礎柱８、からなるコンクリート基礎９を構築し、コンクリート基礎９の基礎柱８部の上に突出するアンカーボルト７の上端ボルト部７ａを用い、基礎柱８部に鉄骨柱１０を接合してなる露出型の鉄骨柱脚の基礎構造がある。この場合、基礎柱８部における基礎コンクリートの上にはモルタル１１が水平に打設される。そして、モルタル１１の上に鉄骨柱１０の下端に溶接されたベースプレート１２が設置され、ベースプレート１２の孔にアンカーボルト７の上端ボルト部７ａが挿入され、ベースプレート１２の上面に突出する上端ボルト部７ａにワッシャー１３を介してナット１４を螺合し、基礎柱８部に鉄骨柱１０を接合している。
【０００３】
上記のような露出型の鉄骨柱脚の基礎構造では、通常、鉄骨柱１０に曲げモーメント等が作用すると、ベースプレート１２を介しアンカーボルト７に引抜き力がかかり、その引抜き力により基礎柱８部の基礎コンクリートにかかる応力がその基礎コンクリートの耐力を超えると、アンカーボルト７の定着板６付近から基礎柱８部の基礎コンクリートにコーン状割れを生じる。従来より露出型の鉄骨柱脚の基礎構造では、図３及び図４に示すように、基礎柱８部の基礎コンクリート中におけるアンカーボルト７の外周に、立上り筋１５およびフープ筋１６からなる基礎柱筋１７を埋設し、コーン状割れによる基礎柱８部の破壊を防止している。なお、立上り筋１５は所定長さの余長部１５ａを有し、余長部１５ａが立上り部に対して略直角に折曲げられ、基礎柱８部の下端部に略水平に埋設されており、立上り筋１５を余長部１５ａにより基礎柱８部の基礎コンクリートに定着させている。
【０００４】
また、立上り筋１５と同様にアンカーボルト７についてもその下端ボルト部７ｂに一対のロックナット１８を介し定着板６を水平に取付け、アンカーボルト７を定着板６により基礎柱８部の基礎コンクリートに定着させると共に、アンカーボルト７の引抜き耐力を大幅に増大させているが、従来の露出型の鉄骨柱脚の基礎構造では、図３に示すように、定着板６は、基礎柱８部の基礎コンクリート中において、基礎梁筋４の梁下端筋２よりも上方に配置（埋設）されている。
【特許文献１】特開平５−２５８３２号公報
【特許文献２】特開平７−１０２６３９号公報
【特許文献３】特開２００３−２３９３８１号公報
【発明の開示】
【発明が解決しようとする課題】
【０００５】
基礎柱８部における基礎コンクリート中において、定着板６が、梁下端筋４よりも上方に配置されている従来の構造では、コーン状割れが梁下端筋４よりも上方に生じ、定着板６と梁下端筋２の定着部が分断されるので、アンカーボルト７を基礎コンクリートに定着できない。アンカーボルト７を基礎コンクリートに安全確実に定着させるためには、アンカーボルト７の外周に多くの立上り筋１５およびフープ筋１６を設置すると共に、立上り筋１５の余長Ｌも長くする必要があるので、コンクリート基礎９を構築する際の配筋が困難になるという問題があった。
【課題を解決するための手段】
【０００６】
本発明は、上記の問題を解決するために、梁上端筋と梁下端筋およびあばら筋からなる基礎梁筋と、下端部に定着板を取付けた複数本のアンカーボルトと、立上り筋およびフープ筋からなる基礎柱筋とが埋設されたコンクリート基礎に、上記複数本のアンカーボルトを用いて鉄骨柱を接合してなる露出型の鉄骨柱脚の基礎構造において、上記定着板を上記梁下端筋よりも下方に配置したものである。
【０００７】
定着板が梁下端筋よりも下方に配置される本発明の構造では、コーン状割れが梁下端筋よりも下方に生じ、定着板と梁下端筋の定着部が分断されることがないので、アンカーボルト７を基礎コンクリートに定着できる。
【発明の効果】
【０００８】
本発明によれば、定着板が梁下端筋よりも下方に配置されているために、基礎梁筋を用いてアンカーボルトをコンクリート基礎に安全確実に定着させることができる。よって、基準等で定められた最小限度の立上り筋およびフープ筋の設置のみで、アンカーボルトをコンクリート基礎に安全確実に定着させることができる。したがって、露出型の鉄骨柱脚の基礎構造における立上り筋およびフープ筋の減量と、立上り筋の余長の短縮が可能になり、基礎構造の簡略化を図ることができ、コンクリート基礎を構築する際の配筋を従来に比べ簡単に行うことができる。
【発明を実施するための最良の形態】
【０００９】
以下、本発明の実施の形態について図面を参照して説明する。図１は本発明の実施の形態に係る露出型の鉄骨柱脚の基礎構造を示す縦断面図（図３に対応）、図２は図１のａ−ａ断面図（図４に対応）である。なお、図３乃至図５に示した従来の露出型の鉄骨柱脚の基礎構造と同一部分には同一符号を付し、その詳しい説明を省略し、相違する部分について説明する。また、図１のｂ−ｂ断面図は図４と同一のため省略している。
【００１０】
図１及び図２に示すように、本発明の実施の形態に係る露出型の鉄骨柱脚の基礎構造では、アンカーボルト７が、基礎柱８部の基礎コンクリート中において、アンカーボルト７の下端ボルト部７ｂに一対のロックナット１８を介して水平に取り付けた定着板６を、基礎梁筋４の梁下端筋２よりも下方に配置できる長さ（定着長）を有しており、定着板６が、基礎柱８部の基礎コンクリート中において、基礎梁筋４の梁下端筋２よりも下方に配置（埋設）されている。なお、図１において２０は基礎梁５部と基礎柱８部の接合部に設けたハンチ部であり、このハンチ部２０を用い基礎梁５部と基礎柱８部の接合部の耐力を大きくすると共に、アンカーボルト７の定着長を確保している。
【００１１】
以上の構造において、鉄骨柱１０に曲げモーメント等が作用すると、ベースプレート１２を介しアンカーボルト７に引抜き力がかかり、その引抜き力により基礎柱８部の基礎コンクリートに応力がかかるが、定着板６が、基礎柱８部の基礎コンクリート中において、基礎梁筋４の梁下端筋２よりも下方に配置されているので、上記応力は定着板６および梁下端筋２を介し基礎梁５部の基礎コンクリートおよび基礎梁筋４に円滑に分散伝達される。また、基礎柱８部の基礎コンクリート中にコーン状割れが生じたとしても、それは梁下端筋２よりも下方に生じ、定着板６と梁下端筋２の定着部が分断されることがなく、上記応力の分散伝達はそのまま継続して行われると共に、アンカーボルト７を基礎柱８部の基礎コンクリートに定着させることができる。
【００１２】
よって、定着板６が、基礎柱８部の基礎コンクリート中において、基礎梁筋４の梁下端筋２よりも上方に配置される従来の露出型の鉄骨柱脚の基礎構造では、図４に示すように、アンカーボルト７を基礎柱８部の基礎コンクリートに安全確実に定着させるために、基礎柱８部の基礎コンクリート中におけるアンカーボルト７の外周に、長さＬ１の余長部１５ａを有する立上り筋１５が１６本密に設置されているのに対し、定着板６が、基礎柱８部の基礎コンクリート中において、基礎梁筋４の梁下端筋２よりも下方に配置される本発明の実施の形態に係る露出型の鉄骨柱脚の基礎構造では、図２に示すように、基準等で定められた最小限度の立上り筋１５の設置、本実施の形態の場合、従来の構造の半分の８本の設置で、しかも、余長部１５ａの長さも従来の構造よりも短いＬ２（Ｌ１＞Ｌ２）に短縮された立上り筋１５の設置で、アンカーボルト７を基礎柱８部の基礎コンクリートに安全確実に定着させることができる。
【００１３】
したがって、露出型の鉄骨柱脚の基礎構造における立上り筋１５の減量およびそれに伴うフープ筋１６の減量と、立上り筋１５の余長Ｌの短縮が可能になり、基礎構造の簡略化を図ることができ、コンクリート基礎９を構築する際の配筋を従来に比べ簡単に行うことができる。
【００１４】
また、コンクリート基礎９の基礎梁５部の曲げ耐力は鉄骨柱１０の曲げ耐力と同等以上であるので、基礎梁筋４の安全確実な定着力が確保でき、柱脚部（アンカーボルト７を含む基礎柱８部）と基礎梁５部との接合部条件が成立すれば、立上り筋１５がなくてもアンカーボルト７をコンクリート基礎９に安全確実に定着させることも可能になる（柱脚部と基礎梁との接合条件「日本建築学会；鉄筋コンクリート造建物の靭性保証型耐震設計指針・同解説」、立上り筋比「日本建築学会；鉄筋コンクリート構造計算基準・同解説」より」）。
【００１５】
なお、本実施の形態では鉄骨柱１０として角形鋼管を用いた場合を示したが、円形鋼管やＨ形鋼を用いてもよい。また、本実施の形態では側柱の柱脚部を示したが、本発明は隅柱の柱脚部にも適用することができる。
【図面の簡単な説明】
【００１６】
【図１】本発明の実施の形態に係る露出型の鉄骨柱脚の基礎構造を示す縦断面図である。
【図２】図１のａ−ａ断面図である。
【図３】従来の露出型の鉄骨柱脚の基礎構造を示す縦断面図である。
【図４】図３のａ−ａ断面図である。
【図５】図３のｂ−ｂ断面図である。
【符号の説明】
【００１７】
１  梁上端筋
２  梁下端筋
３  あばら筋
４  基礎梁筋
５  基礎梁
６  定着板
７  アンカーボルト
８  基礎柱
９  コンクリート基礎
１０  鉄骨柱
１５  立上り筋
１５ａ  余長部
１６  フープ筋
１７  基礎柱筋
Ｌ  立上り筋の余長
【図１】
2006342497.tif 000003
【図２】
2006342497.tif 000004
【図３】
2006342497.tif 000005
【図４】
2006342497.tif 000006
【図５】
2006342497.tif 000007